(57)【要約】  本開示は、歯科矯正的に望ましい寸法を有する、高強度の自己結紮装具を提供する。本開示の装具は、本体内のチャネルに摺動可能に係合されたドアを組み込み、このドアは、ドア上の一体的突出部の平衡位置に応じて開閉することができる。本体及びドアの溝及びレールを協働させて、開位置と閉位置との間でドアを誘導し、意図しない離脱を軽減することができる。
2019520153.tif 000002
【特許請求の範囲】
【請求項１】
結合面を有する基部と、
前記基部から外向きに延びた本体であって、底壁を有し、かつ近心−遠心方向に延びたアーチワイヤスロットを含む本体と、
前記本体に摺動可能に連結されたドアであって、前記アーチワイヤスロット内でアーチワイヤを結紮することができる開状態と、前記アーチワイヤスロット内にアーチワイヤを保持することができる閉状態との間で移動可能であり、前記ドアは、共面の近心面及び遠心面を含む舌側表面を有し、前記底壁は、前記近心面及び前記遠心面と鋭角を形成し、前記舌側表面は、前記底壁に対して実質的に平行な平面接触面を含む前縁部領域を含む、ドアと、を備える歯科矯正装具。
【請求項２】
前記スロットに対して略垂直に方向付けられたチャネルを前記本体内に更に備え、前記ドアは舌側表面から延びた支柱を含み、前記支柱は前記チャネルに摺動可能に受け入れられている、請求項１に記載の歯科矯正装具。
【請求項３】
前記チャネルは、前記ドアの摺動方向に対して略垂直に方向付けられたラッチを更に備える、請求項２に記載の歯科矯正装具。
【請求項４】
前記ラッチは、前記チャネルを横切って近心−遠心方向に延び、かつ前記チャネルの底部からオフセットされたビームを備える、請求項３に記載の歯科矯正装具。
【請求項５】
前記ドアが前記開状態と前記閉状態との間で移動することを可能にするために、前記ビームは、前記チャネルの底部に向かう方向に撓み可能である、請求項４に記載の歯科矯正装具。
【請求項６】
前記支柱は、脚部の近心側又は遠心側に沿って延びた少なくとも１つのレールを含み、
前記チャネルは少なくとも１つの凹部を含み、
前記レールは前記凹部に摺動可能に係合されている、請求項３に記載の歯科矯正装具。
【請求項７】
前記ドアの前記舌側表面は、前記ドアの咬合側−歯肉側高さの少なくとも一部を通って延びた少なくとも１つの溝を含み、前記閉状態において、前記溝の一部が前記底壁の上方に位置する、請求項１に記載の歯科矯正装具。
【請求項８】
前記舌側表面は、前記支柱の両側に２つの溝を含む、請求項７に記載の歯科矯正装具。
【請求項９】
前記本体は、顔面側表面上に１つ以上のガイドレールを更に備える、請求項１に記載の歯科矯正装具。
【請求項１０】
各ガイドレールは、前記ドアの前記舌側表面の溝内に受け入れられている、請求項９に記載の歯科矯正装具。
【請求項１１】
結合面を有する基部と、
前記基部から外向きに延びた本体であって、底壁を有し、かつ近心−遠心方向に延びたアーチワイヤスロット、及び前記本体内で前記スロットに対して略垂直に方向付けられたチャネルを含む本体と、
前記本体に摺動可能に連結されたドアであって、前記アーチワイヤスロット内でアーチワイヤを結紮することができる開状態と、前記アーチワイヤスロット内にアーチワイヤを保持することができる閉状態との間で移動可能であり、前記ドアの舌側表面は、前記閉状態で前記底壁に対して実質的に平行な接触面を有する前縁部領域、及び前記舌側表面の近心−遠心中心から延びており、かつ前記チャネルに摺動可能に受け入れられている支柱を含む、ドアと、を備える歯科矯正装具。
【請求項１２】
前記本体は、前記チャネルの両側に沿って配置された第１のガイドレール及び第２のガイドレールを更に含む、請求項１１に記載の歯科矯正装具。
【請求項１３】
前記ドアの前記舌側表面は、前記ドアの咬合側−歯肉側高さの少なくとも一部を通って延びる第１の溝及び第２の溝を含み、
前記第１のガイドレールは前記第１の溝に受け入れられており、前記第２のガイドレールは前記第２の溝に受け入れられている、請求項１２に記載の歯科矯正装具。
【請求項１４】
前記第１の溝及び前記第２の溝は、前記支柱の両側に配置されている、請求項１３に記載の歯科矯正装具。
【請求項１５】
前記本体チャネルは、前記ドアの摺動方向に対して略垂直に方向付けられたラッチを更に備える、請求項１１に記載の歯科矯正装具。
【請求項１６】
前記ロックは、前記アーチワイヤスロットから離れる方向への前記ドアの移動を妨げる、請求項１５に記載の歯科矯正装具。
【請求項１７】
前記ラッチは、前記チャネルを横切って近心−遠心方向に延びたビームを備える、請求項１６に記載の歯科矯正装具。
【請求項１８】
前記ドアが前記開状態と前記閉状態との間で移動することを可能にするために、前記ビームは、前記チャネルの底部に向かう方向に撓み可能である、請求項１７に記載の歯科矯正装具。
【請求項１９】
前記支柱は、前記支柱の側面に沿って延びた少なくとも１つのレールを含み、
前記レールは、前記本体チャネルに連通した凹部に受け入れられている、請求項１１〜１３のいずれか一項に記載の歯科矯正装具。
【請求項２０】
前記前縁部領域は、前記ドアが閉じている時に前記アーチワイヤスロットの両側の近心端及び遠心端に位置する、同一平面上にある一対の接触面を含む、請求項１１に記載の歯科矯正装具。
【請求項２１】
前記ドアが閉じている時の前記アーチワイヤスロットの高さは、前記スロットの近心−遠心中心に隣接する領域と比較して、前記近心端及び前記遠心端では減少している、請求項２０に記載の歯科矯正装具。
【請求項２２】
前記ドアは、第１のチャネルから近心方向に延びた近心滑り領域と、第２のチャネルから遠心方向に延びた遠心滑り領域とを含み、
前記近心滑り領域及び前記遠心滑り領域は、前記本体に沿って摺動し、略同一平面上にある、請求項２０に記載の歯科矯正装具。
【請求項２３】
前記滑り領域は、前記接触面に対して傾斜角度をもって方向付けられている、請求項２２に記載の歯科矯正装具。
【請求項２４】
アーチワイヤを結紮する方法であって、
結合面を有する基部と、
前記基部から外向きに延びた本体であって、底壁を有し、かつ近心−遠心方向に延びたアーチワイヤスロットを含む本体と、
前記本体内のチャネルに摺動可能に連結されたドアであって、前記アーチワイヤスロット内でアーチワイヤを結紮することができる開状態と、前記アーチワイヤスロット内にアーチワイヤを保持することができる閉状態との間で移動可能であるドアと、を備える、装具を提供することと、
前記アーチワイヤスロットの方向に前記ドアを摺動させることと、を含み、
前記アーチワイヤスロットの方向に前記ドアを摺動させることは、前記チャネルを横切って延びたラッチを舌側方向に撓ませる、方法。
【請求項２５】
前記ドアは、突出部を有する支柱と、前記支柱の両側の一対の溝とを含み、前記ドアを摺動させることにより、前記突出部が前記ラッチの撓みを引き起こす、請求項２４に記載の方法。
【発明の詳細な説明】
【背景技術】
【０００１】
歯科矯正は、歯列不正の専門的な管理、指導及び矯正に関連する歯科分野である。歯科矯正治療の利益としては、適正な咬合機能の達成及び維持、顔の審美性の向上、及び歯科衛生の改善が挙げられる。これらの目標を達成するために、歯科矯正専門家は、患者の歯に係合し、穏やかな治療力を加えて歯を適切な位置に向かって移動させる矯正装具を使用することがよくある。
【０００２】
ある一般的な種類の治療では、歯科矯正用ブラケットと呼ばれる、スロットを有する小さな装具が使用され、この装具は、患者の歯の前側又は裏側のいずれかの表面に接着剤により装着される。治療を開始するには、弾性のアーチ形ワイヤ（「アーチワイヤ」）が各ブラケットのスロットに受け入れられる。アーチワイヤの端部は、一般に、患者の大臼歯に接合される、大臼歯チューブと呼ばれる装具内に捕捉される。アーチワイヤは、その元の形状へと緩徐に戻るため、歯の移動を所望の位置に向けて誘導する、軌道としての役割を果たす。これらのブラケット、チューブ、及びアーチワイヤは、まとめて「ブレース」として知られる。
【０００３】
歯科矯正ブラケットにアーチワイヤを係合させて有効にするために使用される手順は、結紮として知られている。従来のブラケットは、互いに対向する一対以上のタイウィング、又はブラケット本体上のクリート状の突起部に補助されてアーチワイヤに結紮される。アーチワイヤをアーチワイヤスロット内に配置し、一般的に、小さなエラストマー製の「Ｏ」リング状結紮具、又は代替的に、金属製結紮ワイヤを、アーチワイヤの上方、及びアーチワイヤスロットの対向する側面上に位置するタイウィングのアンダーカット部分の下方に締め付ける。したがって、結紮によって、各ブラケットのアーチワイヤスロット内にアーチワイヤを固定し、これらの本体間の正確な機械的結合をもたらす。
【０００４】
結紮は多数の欠点を有する。例えば、エラストマー製結紮具は経時的に弾性を喪失する傾向があり、アーチワイヤの摺動機構が不整合になる。これらの結紮具は治療の審美性ために半透明にすることができるが、汚れ易いという傾向もある。一方で、結紮ワイヤを用いた結紮は、極めて煩雑で時間がかかることもある。結紮ワイヤはまた、金属で作製されているため、一般に非審美的とも見なされる。
【０００５】
自己結紮式ブラケットは、上記の問題に対して、解決策を提示する。これらの装具は、スロット内にアーチワイヤを保持するために、一般的には、クリップ、ばね部材、ドア、シャッター、ベイル、又は、ブラケット自体に組み込まれた他の結紮機構を使用することにより、別個の結紮具の使用が不要となる。自己結紮式ブラケットを使用することから、幾つかの利点を導き出すことができる。例えば、これらの装具は、エラストマー製結紮具を使用して結紮されるブラケットと比較して、アーチワイヤとブラケットとの間の摩擦を減少させることができ、治療の初期段階においてより早い歯のレベリング及びアライニングを提供し得る。結紮機構次第で、これらの装具はまた、アーチワイヤの装着及び除去を簡略化し、治療を行う専門家のチェアタイムを大幅に短縮することもできる。最後に、自己結紮式ブラケットはまた、食品及び歯垢が詰まる恐れのある、エラストマー製結紮具及び結紮ワイヤを使用する従来のブラケットよりも、良好な衛生状態を提供することもできる。
【発明の概要】
【０００６】
審美的自己結紮式ブラケットの実現には、多数の技術的課題及びトレードオフがある。例えば、クリップ、ばね部材、ドア、ベイル、又は他の結紮機構に使用される材料は、典型的には金属であり、歯の自然な色とは非常に対照的なものである。ポリマー材料は審美性があり、かつ、この機能のために構成可能ではあるものの、ポリマーは一般的に軟質であり、摩耗に弱く、かつ、治療過程の間に汚れてしまいやすい。最後に、各種セラミック材料は、程よい強度、汚れに対する耐性、及び優れた審美性を提供するものとして長く知られてきた。しかしながら、これらの材料は脆性であり、機械加工及び組み立てが困難な場合があり、また、ほとんどの結紮機構で必要となる弾力性を有していない。
【０００７】
上記の問題のいくつか又はすべてを改善するセラミックブラケットのための自己結紮式ラッチ設計が存在するものの、このような装具の顔面側−舌側プロファイルは、弾力性の欠如に適応するために過大になる傾向がある。更に、このような設計では、ドア又は他の摺動ラッチ機構を収容するために本体の比較的厚みのない領域が必要となり、応力集中及び装具故障の可能性をもたらす。また、このような設計は、正確なアーチワイヤスロット深さ、及びスロットの底壁と基部との間の距離などの特定の規定寸法に容易に対応することができない。よって、当技術分野では、高強度及びアーチワイヤ制御を備えた、低プロファイルの自己結紮式ブラケットが必要とされている。
【０００８】
本開示は、歯科矯正的に望ましい寸法を有する、高強度の自己結紮装具を提供する。本開示の装具は、本体内のチャネルに摺動可能に係合されたドアを組み込んでおり、このドアは、一体的突出部の平衡位置に応じて開閉することができる。本体及びドアの一方又は両方の溝及びレールが協働することで、開位置と閉位置との間でドアを誘導し、意図しない離脱を軽減することができる。例示的実施形態では、これらの装具はまた、ドア突出部と協調してチャネル内に位置する、保持部材を使用する。任意選択で、チャネルの１つ以上の側壁と組み合わせられた保持部材は、突出部を収容するための複数の領域を提供する。これらの装具は、突出部と保持部材との間の係合に基づいて、別々の、予め定義された開ドア位置及び閉ドア位置を提供することができ、それによって、治療を行う専門家がアーチワイヤを容易に結紮することができる。
【０００９】
また、これらの装具は、顔面側−舌側プロファイルの減少を特徴とし、またアーチワイヤスロットの底部と基部との間の所望の顔面側−舌側高さ、及び規定のアーチワイヤスロット高さを依然として維持する。この有利な特徴は、例えば、レール及び溝を、中央よりもアーチワイヤスロットの近心縁及び遠心縁の底壁に近いドアのアーチワイヤ接触面と組み合わせて協働させることによって実現することができる。この構成によりドアと本体の両方の強度が増加し、組み立てられたブラケットが耐えることができる唇側引張力のレベルが増加する。
【００１０】
一態様において、本開示は歯科矯正装具を提供し、この歯科矯正装具は、結合面を有する基部と、
基部から外向きに延びた本体であって、底壁を有し、かつ近心−遠心方向に延びたアーチワイヤスロットを含む本体と、本体に摺動可能に連結されたドアであって、アーチワイヤスロット内でアーチワイヤを結紮することができる開状態と、アーチワイヤスロット内にアーチワイヤを保持することができる閉状態との間で移動可能であるドアとを備える、歯科矯正装具であって、
ドアは、同一平面上の近心面及び遠心面を含む舌側表面を有し、
底壁は、近心面及び遠心面と鋭角を形成し、
舌側表面は、底壁に対して実質的に平行な平面状接触面を含む前縁部領域を含む、歯科矯正装具である。
【００１１】
別の態様において、本開示は歯科矯正装具を提供し、この歯科矯正装具は、結合面を有する基部と、
基部から外向きに延びた本体であって、底壁を有し、かつ近心−遠心方向に延びたアーチワイヤスロットと、スロットに対して略垂直に方向付けられた、本体内のチャネルとを含む、本体と、本体に摺動可能に連結されたドアであって、アーチワイヤスロット内でアーチワイヤを結紮することができる開状態と、アーチワイヤスロット内にアーチワイヤを保持することができる閉状態との間で移動可能であるドアとを備える、歯科矯正装具であって、
ドアの舌側表面は、
閉状態で底壁に実質的に平行な接触面を有する前縁部領域、及び
チャネルに摺動可能に受け入れられている、舌側表面の近心−遠心中心から延びた支柱を含む、
歯科矯正装具である。
【００１２】
別の態様では、本開示は、アーチワイヤを結紮する方法を提供し、この方法は、
結合面を有する基部と、
基部から外向きに延びた本体であって、底壁を有し、かつ近心−遠心方向に延びたアーチワイヤスロットを含む本体と、
本体内のチャネルに摺動可能に連結されたドアであって、アーチワイヤスロット内でアーチワイヤを結紮することができる開状態と、アーチワイヤスロット内にアーチワイヤを保持することができる閉状態との間で移動可能であるドアとを備える、装具を提供することと、
アーチワイヤスロットの方向にドアを摺動させることとを含み、
アーチワイヤスロットの方向にドアを摺動させることは、チャネルを横切って延びたラッチを舌側方向に撓ませる、方法である。
【図面の簡単な説明】
【００１３】
【図１】一実施形態による歯科矯正装具の顔面側、歯肉側、及び近心側の方を見た斜視図である。
【図２】図１の装具の顔面側の方を見た平面図である。
【図３】図１、図２の装具の歯肉側、顔面側、及び近心側の方を見た分解斜視図である。
【図４】図１〜図３の装具の近心側の方を見た側面図である。
【図５】図１〜図４の装具の近心側の方を見た側面図である。
【図６Ａ】アーチワイヤスロットへのアクセスを制限するためにドアが閉じた状態の図１〜５の装具の近心側の方を見た断面図である。
【図６Ｂ】アーチワイヤスロットへのアクセスを可能にするためにドアが開いた状態の図１〜５の装具の近心側の方を見た断面図である。
【図７】装具の隠れた特徴を露出させるためにドアが取り外された状態の図１〜５の装具の斜視図である。
【図８】図７の装具の顔面側の方を見た平面図である。
【図９】図１〜図６の装具のドアの咬合側、顔面側、及び近心側の方を見た斜視図である。
【図１０】図１〜図６の装具の咬合側の方を見た平面図である。
【図１１Ａ】ドアがスロット閉位置にある状態の、本開示による別の装具の近心側の方を見た側面図である。
【図１１Ｂ】ドアがスロット開位置にある状態の、本開示による別の装具の近心側の方を見た側面図である。
【図１２Ａ】ドアがスロット閉位置にある状態の、本開示による別の装具の近心側の方を見た側面図である。
【図１２Ｂ】ドアがスロット開位置にある状態の、本開示による別の装具の近心側の方を見た側面図である。
【図１３】一実施形態による歯科矯正装具の顔面側、歯肉側、及び近心側の方を見た斜視図である。
【図１４】図１３の装具の顔面側の方を見た平面図である。
【図１５】図１〜図３の装具の近心側の方を見た側面図である。
【図１６】装具の隠れた特徴を露出させるためにドアが取り外された状態の図１〜５の装具の斜視図である。
【図１７】図１３〜図１５の装具のドアの歯肉側、顔面側、及び近心側の方を見た斜視図である。
【図１８】一実施形態による別の歯科矯正装具の顔面側、咬合側、及び近心側の方を見た斜視図である。
【００１４】
方向の定義
本明細書で使用する場合、
「近心」とは、患者の湾曲した歯列弓の中心に向かう方向を意味する。
「遠心」とは、患者の湾曲した歯列弓の中心から離れる方向を意味する。
「咬合側」とは、患者の歯の外側先端部に向かう方向を意味する。
「歯肉側」とは、患者の歯茎又は歯肉に向かう方向を意味する。
「顔面側」とは、患者の唇又は頬に向かう方向を意味する。
「舌側」とは、患者の舌に向かう方向を意味する。
【発明を実施するための形態】
【００１５】
以下のセクションでは、自己結紮式歯科矯正装置及びそれに関連する方法を目的とする、例示的実施形態を説明する。これらの実施形態は、例示的なものであり、したがって、本発明を過度に制限するものとして解釈されるべきではない。例えば、当業者は、開示される装置及び方法を、歯の唇側表面若しくは舌側表面のいずれかへの取り付けに適合させるか、同じ歯列弓内の異なる歯への取り付けに適合させる（例えば、その歯列弓の近心側半体及び遠心側半体上の対応する装置）か、又は、上歯列弓若しくは下歯列弓のいずれかに位置する歯への取り付けに適合させることができる点を理解されたい。
【００１６】
本明細書で説明される装置及び方法は、任意選択的に、治療を受けている個々の患者に合わせてカスタマイズすることができる。材料及び寸法上の仕様もまた、特許請求される発明の範囲から逸脱することなく、本明細書で開示されるものから変更することができる。別段の指定がない限り、提供される装置及び構成要素は、当業者には既知の、様々な金属材料、セラミック材料、ポリマー材料、及び複合材料のうちのいずれかで構築することが可能である。更には、別段の指示がない限り、これらの装置及びそれらの構成要素に関連付けられる寸法は、決定的なものではなく、添付図面は、必ずしも一定の縮尺で描かれているものではない。
【００１７】
数字１００で指定された一実施形態による歯科矯正装具が、図１及び図２に組み立てられた形状で示される。装具１００は、基部１０２と、基部１０２から外向きに延びた本体１０４とを有する。基部１０２の底部は、装具１００が結合されるそれぞれの歯の表面に概ね近似した凹状の三次元表面輪郭を有する結合面１０６を有する。特定の実施形態では、結合面１０６は、近心−遠心方向及び咬合側−歯肉側方向の双方で湾曲を有する、複合輪郭を特徴とし得る。
【００１８】
結合面１０６は、任意選択で、基部１０２と下に存在する歯との間の接着剤結合を強化するために、メッシュ、孔、隆起部、凹部、アンダーカット、マイクロエッチング表面、ガラスグリット、結合粒子、オルガノシラン処理表面、又は任意の他の既知の機械的若しくは化学的改質を含み得る。あるいは、基部１０２はまた、バンド状構成を有することも可能であり、この構成では、基部１０２が歯を完全に取り囲む。他の実装では、基部１０２は、基部１０２と歯牙構造との間の間隙を埋めることを支援する、固定式の圧縮性材料を含み得る。好適な圧縮性材料は、米国特許公開第２００９／０２３３２５２号（Ｃｉｎａｄｅｒ）で説明されている。
【００１９】
この実施形態の歯科矯正装具１００、及び他の実施形態の歯科矯正装具は、別段の指示がない限り、本明細書では、上顎又は下顎上の歯の唇側表面に付随する、基準フレームを使用して説明される。したがって、歯科矯正装具１００を説明するために使用される、唇側、舌側、近心、遠心、咬合側、及び歯肉側などの用語は、その選択された基準座標に対するものである。しかしながら、歯科矯正装具１００は、口腔内部で、他の歯上及び他の向きで使用することができるため、それらの実施形態は、選択された基準座標及び記述用語に限定されるものではない。例えば、歯科矯正装具１００は、歯の舌側表面に結合させることもできる。基準座標系に変更がある場合、本明細書で使用される記述用語を直接適用することができない点が、当業者には認識されるであろう。それにもかかわらず、これらの実施形態は、口腔内部での場所及び向きとは無関係であることが意図され、歯科矯正ブラケットの実施形態を説明するために使用される、これらの相対的用語は、図面内の実施形態の明確な説明を単に提供するためのものに過ぎない。
【００２０】
略直線状の形状を有するアーチワイヤスロット１０８は、本体１０４の概して顔面側に面した面を略近心−遠心方向に横切って延びている。特に図４の近心図を参照すると、アーチワイヤスロット１０８は、歯肉側の側壁１１１及び咬合側の側壁１１２と共に、底部の舌側壁１１０を含む。咬合側壁１１１は、本体１０４の咬合側のドア支持部１１４の表面によって、少なくとも部分的に画定される（図３及び図８を参照）。アーチワイヤ（図示せず）は、アーチワイヤスロット１０８内に受け入れられ、典型的には、アーチワイヤスロット１０８の壁１１０、１１１、１１２と実質的に一致する、概して矩形の断面を有する。アーチワイヤの寸法とアーチワイヤスロット１０８の寸法との厳密な一致は、アーチワイヤと装具１００との間の正確な結合をもたらし、治療を行う施術者に、歯の移動に対する高度な制御を与えることができる。しかし、スロット壁の寸法に厳密に近似しない、他のアーチワイヤ幾何学形状を使用することができることが理解されるであろう。
【００２１】
装具１００は、トルク及びアンギュレーションに関して、予め調節することができる。歯のアンギュレーションは、Ｄｒ．Ｌａｗｒｅｎｃｅ  Ｆ．Ａｎｄｒｅｗｓの教示に従って、咬合平面に垂直な線に対する、臨床歯冠の顔面軸線（「ＦＡＣＣ」）の近心遠心傾斜として定義することができる（例えば、Ｌａｗｒｅｎｃｅ  Ｆ．Ａｎｄｒｅｗｓ著「Ｓｔｒａｉｇｈｔ  Ｗｉｒｅ，Ｔｈｅ  Ｃｏｎｃｅｐｔ  ａｎｄ  Ａｐｐｌｉａｎｃｅ」（Ｌ．Ａ．Ｗｅｌｌｓ  Ｃｏ．，（著作権）１９８９年）を参照）。ブラケットのアンギュレーションは、歯のアンギュレーションを提供するための、ブラケットの基部に対する、ブラケットのアーチワイヤスロットの特定の角度方向として定義することができる。歯のトルクは、咬合平面に垂直な線から測定される場合の、ＦＡＣＣの頬唇側−舌側傾斜として定義することができる。したがって、ブラケットのトルクは、所望の歯のトルクが得られるような、ブラケットの基部に対するアーチワイヤスロットの向きとして定義することができる。ブラケットのトルクは、典型的には、アーチワイヤスロット若しくはアーチワイヤ通路の指定された角度、すなわち「スロットでのトルク」、又はブラケットの歯装着表面で形成される角度、すなわち「基部でのトルク」を介して提供される。いずれの構成の下でも、装具１００には、図４内の文字「Ｔ」によって指定される、特定のトルクを提供することができる。このトルク、又は角度Ｔは、アーチワイヤスロット１０８の底壁１１０を含む基準面１７５と基準線１７７との間の角度に相当する。基準線１７７は、咬合側−歯肉側方向に延びており、アーチワイヤスロット１０８の近心−遠心中心及び咬合側−歯肉側中心の下の、舌側方向に位置する点で、基部１０４に接する。基準線１７７は、したがって、装具１００のトルク面の範囲内に存在する。
【００２２】
本体１０４内に摺動可能に受け入れられたドア１３０は、アーチワイヤスロット１０８へのアクセスを制御し、図１、図２及び図４では閉位置で示されている。ドア１３０の一部は、アーチワイヤスロット１０８の中心部分を横切って延び、これによって、装具１０８のスロット１００に対するアーチワイヤ（ここでは図示せず）の出入りを防止する。図１に示される構成では、アーチワイヤは、患者の口内で実施される、通常の咀嚼及びブラッシング活動の結果としてアーチワイヤが過って脱落するようなことがないように、装具１００に確実に結紮されることになる。ドア１３０は、アーチワイヤスロット１０８（図３及び図５に図示する）へのアクセスを可能にする開位置と閉位置との間で切り替わるように咬合方向及び歯肉方向の両方に摺動することができる。アーチワイヤは、アーチワイヤスロット１０８の長さに沿って摺動可能とすることができ、また典型的には摺動可能とするべきであり、これによって、アーチワイヤは、不正咬合歯の移動を誘導する、軌道として機能することが可能となる。そのような摺動は、治療のレベリング段階及びアライニング段階の間、歯がほぐれるため、特に顕著である。
【００２３】
ほとんどの状況下では、ドア１３０はそのままで、アーチワイヤを装具１００に結紮するのに十分である。しかし、所望するならば、治療を行う専門家は、本体１０４に位置するアンダーカット１１６及びタイウィング１１８を用いてアーチワイヤを手動で結紮することを選択することができる。結紮は、例えば、エラストマーＯリング又は結紮ワイヤを、アンダーカット１１６の下、スロット１０８内に受け入れられたアーチワイヤの上、及びタイウィング１１８の下に固定することによって、達成することができる。また、所望の場合には、アンダーカット１１６及びタイウィング１１８を用いて、パワーチェーンを２つ以上の歯に固定してもよい。
【００２４】
図７及び図８を参照すると、以下に記載されるこの及び他の実施形態において、本体１０４は、本体１０４の顔面側表面の咬合部分に一対のガイドレール１１５を有する。各ガイドレール１１５は、チャネル１２０の近心側及び遠心側のうちの一方で、略咬合側−歯肉側方向に沿って延びている。ドア１３０は、以下に更に説明するように、略咬合側−歯肉側方向でドアに力が加えられるときに、ガイドレール１１５に沿って摺動する相補的溝１３８、１３９（図９及び図１０参照）を含む。当業者であれば分かるように、ドア１３０の摺動を容易にし締め付けを回避するために、ガイドレール１１５と溝１３８、１３９との間に適切な公差が存在してもよい。
【００２５】
複合縦チャネル１２０は、本体１０４の歯肉側から咬合側に向かって延びている。チャネル１２０は、タイウィング１１８とレール１１５との間を通っており、本体１０４を近心側半体及び遠位側半体に本質的に分岐させる。チャネル１２０は、図示されたように、アーチワイヤスロット１０８より歯肉側において狭い近位−遠位厚さを含み得る。アーチワイヤスロット１０８に対して咬合側にある本体１０４側で、チャネル１２０は、主チャネル部１２１、及びその長さの一部に沿ってチャネル１２０へ延びる対向する凹状凹部１２３、１２４を含む。図示された実施形態では、凹状凹部１２３、１２４は、チャネル１２０の底壁１２２の上方の本体１０４のドア支持部１１４に形成され、各凹部と底壁１２２との間には壁部１２５、１２６が残されている。凹部１２３、１２４は、凹部として図示されているが、所与のドア１３０構成を収容するために、別の断面形状（例えば、長方形、台形、正方形など）を含むことができる。しかし、現在の好ましい状況では、凹部は、開位置と閉位置との間でのドア１３０の摺動を容易にするために凹状である。
【００２６】
凹部１２３、１２４は、チャネル１２０の咬合側端に開放されており、ドア１３０上の相補的レール１４１を受け入れるように寸法決めされている。チャネル１２０及び凹部１２３、１２４の双方の開放された咬合側端は、ドア１３０を略歯肉側方向に本体１０４内へ摺動させることによって装具１００を組み立てることを可能にし、ドア１３０を略咬合側方向に摺動させることによって装具１００を分解することを可能にする。凹部１２３、１２４が少なくとも部分的にアーチワイヤスロット１０８内に開放されているという点で、凹部１２３、１２４は、それぞれの歯肉側端に向かって開放されている。特定の実装では、図示されているように、装具アセンブリが、ドア１３０の本体１０４に対する望ましくない摺動を制限する、以下に記載したビームなどの別の手段に依拠した状態で、凹部１２３、１２４は、それぞれの咬合側端及び歯肉側端の両方で開放することができる。あるいは、凹部１２３、１２４は、それぞれの歯肉側端に向かって閉じられ、壁１１２で終端することができる。この特質をもった閉鎖端凹部１２３、１２４は、ドアに対して摺動限界（すなわち、正の停止面）をもたらし、ドア１３０の一部がアーチワイヤスロット１０８に着座したアーチワイヤに接触することを防止することができる。
【００２７】
いくつかの実施形態では、チャネル１２０は、底壁１２２と結合面１０６との間に位置する脆弱ウェブを少なくとも部分的に画定し、脆弱ウェブを破砕して装具１００の近心側半体及び遠心側半体を互いに向かって枢動させることによって、装具を簡便に圧搾剥離させることができる。更なる選択肢及び利点については、発行済み米国特許第５，３６６，３７２号（Ｈａｎｓｅｎら）に記載されている。
【００２８】
ドア１３０を、別々の位置の間、例えば、開位置と閉位置との間で切り替えるための様々な機構をチャネル１３０内に実装することができる。ドア１３０のための局所平衡位置を提供する一時的ラッチ機構は、都合が良いことに、治療を行う専門家がスロット１０８内にアーチワイヤを配置しているときにドア１３０が自然に閉じる、又は逆に、ドア１３０が治療過程で自然に開くのを防ぐことができる。図示された実施形態では、ラッチは、ドア１３０の摺動方向に略垂直な、チャネル１２０の一部を横切って近心−遠心方向に延びる撓み可能なビーム１６０である。ドア１３０の位置を一時的に拘束するための機構の更なる例は、国際公開第２０１４／０１８０９５号（Ｌａｉら）に見ることができる。
【００２９】
撓み可能なビーム１６０は、チャネル１２０への咬合側入口から離れており、本体１０４の近心及び遠心ドア支持部１１４の少なくとも１つを通って延びる横チャネル１６２に内に受け入れられる。いくつかの実施形態では、横チャネル１６２は、近心ドア支持部１１４及び遠心ドア支持部１１４の両方を通って延び、それによって当該チャネルを２つのチャネル部（すなわち、近心及び遠心）に分割するが、これは当てはまらない。ビーム１６０は、各チャネル１６２部の全部又は一部を通って延びることができる。ある特に有利な実装では、ビームは、近心ドア支持部１１４及び遠心ドア支持部１１４の両方における横チャネル１６２の一部を通って延びている。ビーム１６０の一端は、接着剤などを用いてチャネル１６２の近心部又は遠心部に固定し、他端は反対側のチャネル部において自由にしておくことができる。このビーム１６０の保持構造では、発行済み米国特許第５，３６６，３７２号（Ｈａｎｓｅｎら）に記載されているような脆弱ウェブの破砕などによる剥離中、ビーム１６０の固定端のみが典型的にはチャネル１６２内に残ることになるので、不注意による分解が防止される。
【００３０】
ドア１３０の組み立てにおいて、ビーム１６０は、チャネル１２０の底壁１２２に向かって弾性的に撓むことによってラッチとして機能し、ドア１３０が歯肉側方向においてビーム１６０に付勢されるときにドア１３０の通過を可能にする。したがって、ビーム１６０は、不注意によるドアの咬合側−歯肉側移動、特に、開閉位置間での移動を防止するように作用する。ドア１３０とビーム１６０との間の相互作用の更なる態様を以下に詳細に論じる。
【００３１】
図示されたビーム１６０は略円形の断面を含むが、矩形又は楕円形などの他の断面形状も可能である。更なる適切なビーム幾何学的形状は、例えば、国際公開番号２０１４／０１８０９５号の図２０〜図２５に関して記載されている。ビーム１６０は、好ましくは、ステンレス鋼、チタン、コバルトクロム合金などの弾性金属合金（Ｅｌｇｉｌｏｙ  Ｓｐｅｃｉａｌｔｙ  Ｍｅｔａｌｓ（Ｅｌｇｉｎ、ＩＬ）製のものなど）、又はニッケルとチタンの合金などの形状記憶合金（例えば、ニチノール）から作製される。現在の好ましい実装では、弛緩時のビーム１６０の形状が治療過程の間に著しく変化しないように、ビーム１６０は十分に弾性である。
【００３２】
ドア１３０は、顔面側表面１３２の反対側に、舌側表面１３１を含む。ドアは、装具１００の近心−遠心全幅と実質的に一致する近心−遠心幅を有する。ドア１３０は、ドア１３０が閉位置にあるときに、アーチワイヤスロット１０８の上に延びる、歯肉側縁部領域１３３を含む（図２及び図４を参照）。したがって、縁部領域１３３の下の舌側表面１３１の一部は、アーチワイヤスロット１０８内にアーチワイヤが受け入れられている場合、そのアーチワイヤと接触することになる（そのような接触が規定のものである場合）。再び図２を参照して理解することができるように、縁部領域１３３は、アーチワイヤスロット１０８の本質的に近心−遠心の全長に延びている。縁部領域１３３の一部は、ドアが閉位置にあるときにアーチワイヤスロット１０８の歯肉側壁１１１に隣接する、本体の壁面１１３に当接し得る。
【００３３】
歯肉側縁部領域１３３は、ドアが閉位置にあるときにアーチワイヤスロット１０８の近心端及び遠心端に配置される、近心及び遠心アーチワイヤ接触面１３４を含む。各接触面１３４は、アーチワイヤスロット１０８（及び平面１７５）の底壁１１０に少なくとも実質的に平行な平面（図４に「Ｏ」で示される）を画定する。この文脈で使用される場合、平行からのずれが５度以下である場合に、接触面は底壁に対して実質的に平行である。現在の好ましい実施形態では、接触面１３４は、少なくとも典型的な製造公差内（すなわち、当該表面を画定する面同士の間の角度が２度以下である）で、底壁１１０と平行である。しかしながら、以下に更に説明するように、接触面１３４は、咬合側本体１０２の一部に接触するドア１３０の滑り面１３７と平行ではない。更に、接触面１３４を画定する平面Ｏは、トルク面（例えば、基準線１７７）に対して鋭角に方向付けることができる。いくつかの実施形態では、トルク面と接触面平面Ｏとの間に形成される角度αは、少なくとも約１０度、少なくとも約２０度、又は少なくとも約３０度である。いくつかの実施形態では、トルク面と接触面平面Ｏとの間に形成される角度αは、最大約６０度、最大約５０度、又は最大約４０度である。
【００３４】
接触面１３４は、部分的にスロット１０８長さ内に延び、スロット１０８の端部で顔面側−舌側スロット高さ１０９を効果的に制御する。図示された実施形態では、接触面１３４のせいで、スロット１０８の近心−遠心中心に隣接する領域におけるスロット高さ１０９よりも、近心端及び遠心端で有効スロット高さ１０９がより短くなっている。スロットの近心端及び遠心端で高さ１０９を減少させることにより、組み立て後の装具は、ブラケット本体１０２の強度を犠牲にすることなく、所与の装具及びアーチワイヤ規定の一方又は両方をより良く表現することができる。ドア１３０は、近心−遠心方向に沿って互いに隔置された２つの箇所で、アーチワイヤと係合することができるため、単一の箇所でアーチワイヤと係合することによって達成可能な他の方式よりも、アーチワイヤの角度的溢出を低減して、より優れた回転制御を達成することが可能である。更に、接触面１３４は、不必要にドア１３０を開けることなくアーチワイヤが装具１００に実質的なトルク（すなわち、ねじり力）を加えることを可能にすることによって、より確実な結紮を提供することができる。当業者によって理解され得るように、ドア１３０の縁部領域１３３の近心−遠心幅は、同様にアーチワイヤスロットの長さに及ぶように延び得る。
【００３５】
縁部領域１３３は、特定の実施形態では、アーチワイヤスロット１０８内にアーチワイヤを誘導するための、押圧要素としての役割を果たすように、接触面１３４より歯肉側に少なくとも１つの面取り部又は他の表面形状を含み得る。押圧要素の更なる属性及び形状は、米国特許第８，４６９，７０４号（Ｏｄａら）に見ることができる。
【００３６】
歯肉側縁部領域１３３より咬合側にある近心縁部１３５及び遠心縁部１３６は、ドアの幅にわたって隔置された略平面状の滑り面１３７を含む。滑り面１３７同士の間の幅は、レール１１５の外縁部同士間の距離に概ね相当する。滑り面１３７は、ドア１３０がチャネル１２０に受け入れられたときに、本体１０４のドア支持面１１４から概ねオフセットされており、ドア１３０が開閉するときに、滑り面１３７が本体１０４上を移動するものの、本体１０４に接触しないようになっている。滑り面１３７は、本開示の特定の実装では、本装具のトルク面に少なくとも実質的に平行な基準面（図４の「Ｐ」）に存在し得る。トルク面に平行又は実質的に平行な滑り面を提供することは、装具１００の過度な回転若しくは傾きを防止又は低減すること、規定の位置又はそうでなければ所望の位置にブラケットを確実に着座させること、及び患者の快適性を高めるために装具の顔面側−舌側高さを更に低減することに役立つ。
【００３７】
図示された実施形態では、滑り面１３７基準面Ｐは、アーチワイヤスロット１０８の底壁１１０及びアーチワイヤ接触面１３４を含む平面Ｏに対して鈍角βで方向付けられている。いくつかの実施形態では、滑り面平面Ｐと接触面平面Ｏとの間に形成される角度βは、少なくとも約１４０度、少なくとも約１５０度、又は少なくとも約１６０度である。いくつかの実施形態では、平面Ｏと平面Ｐの間に形成される角度βは、最大約１７５度、最大約１７０度、又は最大約１６５度である。
【００３８】
ドア１３０は、支柱１４０、及び舌側表面１３８の少なくとも一部に咬合側−歯肉側方向に延びる一対の溝１３８、１３９を更に含む。図９及び図１０に最も良く図示されるように、一対の溝１３８、１３９は、各溝が滑り面１３７と支柱１４０との間に配置された状態でドアの舌側表面１３１に形成される。溝１３８、１３９は、寸法及び相対位置が、本体１０４の顔面側表面のレール１１５に対応している。上述したように、溝１３８、１３９は、一対のレール１１５に沿って摺動し、したがって、組み立てが容易になるように開放端になっている。レール１１５及び溝１３８、１３９が全体として、ドア１３０の作動的摺動運動を誘導する。溝１３８、１３９は、図示されたようにドア１３０の咬合側−歯肉側全長に延びることができ、又は歯肉側縁部領域１３３に隣接して終端してもよい。上述のように、有効スロット高さ１０９は、ドア１３０が閉位置にあるときに、溝１３８、１３９の両方によって覆われるアーチワイヤスロット１０８領域で大きくなることになる。
【００３９】
舌側表面１３１で溝１３８、１３９を使用することにより、ドア１４０、ひいては装具１００の顔面側−舌側プロファイルを低減することが可能になる。溝から舌側方向に離されたアーチワイヤ接触面１３４を組み入れることによって、ドア１４０又は本体１０４のいずれかの構造的完全性を犠牲にすることなく、所望のアーチワイヤスロット高さ１０９を維持することができる。構造的完全性は、高い応力及び故障が生じるまでドアが耐えることができる唇側引張力の量を増加させる。結合、治療、アーチワイヤ交換、及び歯科矯正治療の間に高い力に遭遇することが多い自己結紮ブラケットにとっては、より高い唇側引張力は特に望ましいものである。
【００４０】
拡大した支柱１４０が、ドア１３０の舌側表面１３１から外向きに延びている。組み立て時に、支柱１４０は、装具本体のドア支持部１１４同士の間のチャネル１２０内に受け入れられる（例えば、図４参照）。支柱は、チャネル１２０の底部１２２に向かって各々延びている歯肉側前縁部１４２及び咬合側後縁部１４３を含む。１本の支柱１４０が図示されているが、代替的装具構成では、組み立て時にチャネル１２０内へ延びる２本の支柱を含むこともできる。支柱１４０は、滑り面１３７基準面Ｐに対して略垂直な軸線Ｓに沿ってドア１４０の近心−遠心中心領域から舌側方向に延び、ドア１３０に、図４及び図５のように近心方向に見たときに略「Ｔ字形」の外観をもたらし、図１０のように咬合側方向から見たときに「Ｅ字形」の外観をもたらしている。しかしながら、ドア１３０の所望の回転によっては、支柱１４０は、滑り面１３７基準面Ｐに対して斜角で延びる軸線Ｓに沿って突出していてもよい。
【００４１】
支柱１４０は一対のレール１４１を含み、これらのレールは、舌側表面１３１からオフセットされ、対向する近心側面及び遠位側面に沿って延びている。各レール１４１は、チャネル１２０内の対応する近心側凹部１２３及び遠心側凹部１２４に摺動可能に受け入れられるように寸法決めされている。レール１４１は、略凸部として図示されているが、所与の凹部１２３、１２４形状に適応するために、別の断面形状（例えば、長方形、台形、正方形など）を含むこともできる。現在の好ましい実装は、近心側レール及び遠心側レールの両方を特徴とするが、本開示による他の装具構成は、レール１本又はレール無しを特徴とすることもできる。しかし、好ましい実装では、対向するレール１４１同士が、ドア構造に強度を加え、着座したアーチワイヤからの顔面側方向の力によるドアの望ましくない回転を防止する。レールと凹部との間の独立した相互作用は、必ずしも必須ではないが、ドア１３０と本体１０４との間に存在し得る小さな間隙、及び他の小さな製造上のばらつきに対する公差を高めるのに役立つ。
【００４２】
図６Ａ、図６Ｂ及び図９に更に示すように、支柱１４０の舌側部分は、歯肉側前縁部１４２と咬合側後縁部１４３との間にドア１４０の移動方向に沿って互いに隔置された一対の略凹状の窪み部１４４、１４５を含む。突出部１４６は、窪み部１４４、１４５の間に配置され、略舌側方向に外向きに延びている。突出部１４６と突出壁部１４２ａ、１４３ａとが協働して、ビーム１６０を窪み部１４４、１４５内に捕捉して保持し、ドア１１０が本体１０４から外れるのを防止する。ドア１１０が能動的に開閉中でない限り、ビーム１６０は、ドア１１０の開閉位置にそれぞれ対応する窪み部１４４、１４５によって画定される２つの位置のうちの１つを一般に想定する。ドア１４０は、図６Ａ及び図６Ｂに示すように、撓み可能なビーム１６０の咬合側領域と歯肉側領域との間で突出部１４６を前後に摺動させることによって、可逆的に開閉することができる。
【００４３】
初期組み立て時、ドア１３０に略歯肉側方向の十分な力が加えられると、突出縁突起部１４２ａがビーム１６０を押圧し、ビーム１６０を下方に（すなわち舌側方向に）撓ませ、支柱１４０がチャネル１４０内に更に進行することを可能にする。この位置では、ビーム１６０は歯肉側凹部１４４に配置され、突出部１４６はビーム１６０の咬合側に配置される（図６Ａ参照）。ここで、ビーム１６０は、前縁突起部１４２ａと突出部１４６との間の平衡位置に拘束されている。装具１００は、ここで、ドア１３０が開位置にある状態で、組み立てられた形状になっている。
【００４４】
前縁突起部１４２ａは、正の停止面として作用し、ドア１３０の咬合側移動及び十分な所望の力なしでの分解を防止する。前縁突起部１４２ａの咬合側表面１４７は、ビーム１６０に対して凸状湾曲を含むことができ、特定の好ましい実施形態では、複合凸状湾曲を含む。複合湾曲を有する実装では、凸状咬合側表面１４７は、連続的に湾曲した表面を呈してもよいし、近心−遠心中心に隣接した平坦地領域を含んでもよい。このような実装において、咬合側表面１４７の近心縁部及び遠心縁部は、典型的には、咬合側表面１４７の他の領域に対してより大きい曲率半径を含むことになる。ドア１３０が開いているとき、咬合側表面１４７がビーム１６０の歯肉側表面に直接近接して配置されることになる。この表面１４７上の湾曲の存在は、ドアが咬合側方向に引っ張られた場合に、縁突起部１４２ａ上のビーム１６０から力を分散させる働きをすることができる。湾曲咬合側表面１４７をわたって力を伝達することで、前縁突起部１４２ａが破損して、ドアの動作を実質的に妨げ、結果として患者の治療を妨げることを防止することができる。
【００４５】
この構成から、ドア１３０に歯肉側方向の付加的な力を加え、ドア１３０を閉じてアーチワイヤスロット１０８への顔面側アクセスを制限することができる。閾値量の力に達すると、ビーム１６０は弾性的に撓み、突出部１４６が第２の位置へ移動することが可能になる。この位置では、ビーム１６０は咬合側凹部１４５の下に配置され、突出部１４６はビーム１６０の歯肉側に位置する（図６Ｂ参照）。ここで、ビーム１６０を、突出部１４６と後縁突起部１４３ａとの間の第２の平衡位置に拘束することができる。突出部１４６がビーム１６０より歯肉側になると、ドア４１０は閉じる。ビーム１６０は、チャネル１２０内でその元の向きに向かって撓んで戻り、咬合側凹部１４５と係合し、ドア１３０が自然に開くのを防止することができる。咬合側後縁突起部１４３ａは、ドア１３０の更なる歯肉側移動を防止する。
【００４６】
いくつかの実施形態では、突出部１４６の幾何学形状を適合させることにより、ドア１３０の開閉に必要とされる力を調整することもできる。例えば、略台形の輪郭（近心方向又は遠心方向から見て）を有し、適切な側壁角度を有する突出部１４６を使用することによって、開閉力を一般に低減することができる。いくつかの実施形態では、側壁角度は、約４５度未満、約３５度未満、又は約３０度未満である。反対に、約４５度超、約５５度超、又は約６０度超の側壁角度を使用することによって、開閉力を増大させることができる。所望の場合、実質的に異なる側壁角度（すなわち、図６Ａのγ１及びγ２）を有する台形突出部１４６を使用することによって、非対称の開閉力を実現することができる。例えば、突出部１４６の前（又は歯肉側に面する）縁は、この突出部の基部に対して、４０度の側壁角度γ１を有することができ、一方、突出部１４６の後（又は咬合側に面する）縁は、６０度の側壁角度γ２を有することができる。このような形状により、開放力閾値を意図的に増加させることができ、咀嚼中にドア１３０が誤って開くのを防止する。
【００４７】
繰り返しになるが、ドア１３０を開閉するプロセスは、ビーム１６０の弾力性により可逆的とすることができる。治療を行う専門家が、ドア１３０を開閉するために咬合側の力及び歯肉側の力を加えると、ビーム１６０はチャネル１２０の底壁１２２に向かって撓み可能となり、それによって、突出部１４６を、ビーム１６０より歯肉側に存在する及び咬合側に存在する間で切り替えることが可能になる。
【００４８】
ドア開閉力は、特に、ビーム１６０の材料特性、突出寸法、及び断面寸法によって決定される。現在の好ましい実施形態では、ビーム１６０は、超弾性ニッケル−チタン合金製のワイヤセグメントである。一つの例示的な実施形態では、ビーム１６０は、０．１８ミリメートル（０．００７インチ）の直径を有する円形断面形状を有する。他の実施形態では、少なくとも０．１３ミリメートル（０．００５インチ）かつ０．３８ミリメートル（０．０１５インチ）以下の直径を有するビームを特徴とすることができる。突出部１４６は、０．２０ミリメートル（０．００８インチ）の高さ、及び０．３５６ミリメートル×０．２５ミリメートル（０．０１４インチ×０．０１０インチ）の面積を有することができる。装具１００が組み立てられた後、過渡期にない場合、ビーム１６０の頂部と突出部１４６の底部との間の干渉（例えば、重複）は、典型的には少なくとも０．１２７ミリメートル（０．０００５インチ）であり、典型的には、０．３８１ミリメートル（０．０１５インチ）以下であり、この干渉を用いて、ドア１３０の偶発的又は望ましくない開放に対抗する更なる確実さをもたらす。ドア１３０の他の表面と本体１０４との間の隙間は、両体が組み立てられたときに、平均で約１９マイクロメートル（０．０００７５インチ）である。
【００４９】
ドア１３０が閉位置にあるとき、アーチワイヤスロット１０８は、４つの実質的に剛性の壁によって取り囲まれている。任意選択で、スロット１０８は、本体１０４上に位置する部分咬合側壁１１１及び支柱１４０の歯肉側前縁部１４２に対応する部分底壁面の両方によって集合的に画定された咬合側壁を有する。部分咬合側壁１１２は、スロット１０８の近心及び遠心部分に沿って延び、ドアが閉位置にあるときに、スロット１０８の中央部分に沿って延びる前縁部１４２によって画定される部分壁面を跨いでいる。この特定の実施形態では、スロット１０８は、ドア１３０の接触面１３４によってのみ画定される顔面側壁、及び本体１０４によってのみ画定される歯肉側壁１１１を有する。
【００５０】
上記の構成の１つの利点は、レールとそれぞれの溝との間の境界面が長くなることである。これらの合わせ面が互いに係合するときに沿う咬合側−歯肉側長さを増加させることによって、この構成は、ドアが本体１０４に沿って摺動して開閉する際の安定性を高め、ぐらつきを低減する。これは、患者の快適性のために装具１００をできるだけ小さく作製し、本体１０４上のスペースが限られている場合に、特に有用である。
【００５１】
例示的な実施形態では、基部１０２、本体１０４、及びドア１１０の一部又は全部は、透光性セラミック材料から作製される。特に好ましいセラミック材料としては、発行済み米国特許第６，６４８，６３８号（Ｃａｓｔｒｏら）に記載されている微粒子多結晶性アルミナ材料が挙げられる。これらのセラミック材料は、強度が高いことで知られており、また、光線を透過して下にある歯面の色と視覚的に融合することができることから、金属材料と比較して美観にも優れている。他の実施形態では、基部１０２及び本体１０４は、例えば、米国特許第４，５３６，１５４号（Ｇａｒｔｏｎら）で開示されているようなポリマー材料、あるいは、米国特許第５，０７８，５９６号（Ｃａｒｂｅｒｒｙら）及び同第５，２５４，００２号（Ｒｅｈｅｒら）で開示されているようなガラス繊維強化ポリマー複合材料などのポリマー−セラミック複合材料から、機械加工又は成型によって、一体的に作製することができる。他の適当な材料としては、例えば、金属材料（ステンレス鋼、チタン、及びコバルトクロム合金など）、プラスチック材料（繊維強化ポリカーボネートなど）、及びこれらの組み合わせが挙げられる。一例として、装具は、セラミック材料から作製された基部１０２及び本体１０４、並びにポリマー複合材料から作製されたドア１１０を含むことができる。その他の材料の繰り返し及び組み合わせも可能である。
【００５２】
図１１Ａ及び図１１Ｂは、図１〜図１０に示されたものと多くの点で類似する、別の実施形態による装具１００ａを示す。装具１００ａは、アーチワイヤスロット１０８ａの底壁１１０ａ及びアーチワイヤ接触面１３４ａを含む平面Ｏに対してより著しい上向き角度（すなわち、顔面側かつ咬合側）角度Ωで方向付けられた滑り面１３７ａ基準面Ｐを含む。いくつかの実施形態では、滑り面平面Ｐと接触面平面Ｏとの間に形成される角度Ωは、少なくとも約１２０度、少なくとも約１３０度、又は少なくとも約１４０度である。いくつかの実施形態では、平面Ｏと平面Ｐの間に形成される角度Ωは、最大約１６５度、最大約１５５度、又は最大約１５０度である。したがって、装具１００ａでは、基部１０２ａとアーチワイヤスロット１０８ａの底壁１１０ａとの間の「内−外」寸法１７０ａは減少している。結果として得られた装具は、顔面側−舌側の輪郭が低く、患者の門歯への結合に良く適している。
【００５３】
図１２Ａ及び図１２Ｂは、図１〜図１０及び図１１Ａ、図１１Ｂに示されるものと多くの点で類似した別の実施形態による装具２００を示す。装具２００は、基部２０２、基部２０２から延びる本体２０４、及び本体２０４を略近心−遠心方向に横切って延びるアーチワイヤスロット２０８を有する。フック２７０は、近心のタイウィング２１８から外向きに延びている。装具２００は、本体２０４に摺動可能に係合し、スロット２０８に顔面側方向から到達可能な開位置と到達不可能な閉位置との間で切り替わるドア２３０を更に含む。
【００５４】
装具１００及び１００ａとは異なり、アーチワイヤスロット２０８は、アーチワイヤスロット１０８の底壁１１０及びアーチワイヤ接触面１３４ａを含む平面Ｏに対して下向き（すなわち、舌側及び咬合側）角度Ωで方向付けられた滑り面２３７基準面Ｐを含む。いくつかの実施形態では、滑り面平面Ｐと接触面平面Ｏとの間に形成される角度Ωは、少なくとも約１８１度、少なくとも約１８３度、又は少なくとも約１８５度である。いくつかの実施形態では、平面Ｏと平面Ｐとの間に形成される角度Ωは、最大約２１０度、最大約２００度、又は最大約１９０度である。装具２００は、特に、上部小臼歯に結合するのに適している。
【００５５】
装具２００の多くの他の態様は、装具１００及び１００ａで説明したものと同様の形態及び機能を有することができ、これらについて繰り返す必要はないことを理解されたい。
【００５６】
図１３〜図１７は、本開示の更に別の実施形態による、装具３００を示す。装具３００は、装具１００、装具１００ａ、及び装具２００と多くの同じ特徴を有しており、基部３０２、アーチワイヤスロット３０８を有する本体３０４、及びチャネル３２０に摺動可能に受け入れられたドア３３０を含む。器具１００又は２００とは異なり、ドア３３０のワイヤ接触面３３４及び滑り面３３７の両方が、アーチワイヤスロット３０８の底壁３１０と平行である。
【００５７】
本体３０４は、凹部３２３、３２４を含む、咬合側−歯肉側方向に延びるチャネル３２０を含む。しかしながら、本体の顔面側表面３０６はレールがなく、代わりに、近心ガイド面３１６及び遠心ガイド面３１７を特徴とする。図１５に最も良く示されるように、ガイド面３１６、３１７は、アーチワイヤスロット３０８の底壁３１０と略平行であり、ドア３３０の作動的摺動運動により舌側表面３３１と協働する。対応するドア３３０には溝がなく、よって略平面状の舌側表面３３１を含む。更に装具１００及び２００とは異なる点では、アーチワイヤ接触面３３４が滑り面３３７と共面にある。装具３００は、装具１００、装具１００ａ、及び装具２００よりも高い顔面側−舌側高さを示し得るものの、本体３０４及びドア３３０の複雑さは減少し、本装具の成型又は他の製造方法は容易になり得る。
【００５８】
装具３００の他の多くの態様は、装具１００、装具１００ａ、及び装具２００で説明したものと同様の形態及び機能を有することができ、これらについて繰り返す必要はないことを理解されたい。
【００５９】
図１８を参照すると、本開示の別の実施形態が示されており、この実施形態は、下犬歯及び小臼歯への結合に特に適している。装具４００は、装具１００、装具１００ａ、装具２００、及び装具３００と多くの同じ特徴を有しており、基部４０２、アーチワイヤスロット４０８を有する本体４０４、及びチャネル４２０に摺動可能に受け入れられたドア４３０を含む。器具２００とは異なり、本体４０４は、アーチワイヤスロット４０８から歯肉側方向において、ドア支持部４１４から延びるフック４７０を含む。フック４７０は、ガイド面４１６及びガイドレール４１５から延びる面によって画定される溝４７２を含む。溝４７２により、開状態と閉状態との間の移動中、ドア４３０がフック４７０の一部に沿って進むことが可能になる。また溝４７２により、ドア４３０を、球状端４７４及びフック４７０の本体の上に組み立てることが可能になる。
【００６０】
装具４００の他の多くの態様は、装具１００、装具１００ａ、装具２００、及び装具３００で説明したものと同様の形態及び機能を有することができ、これらについて繰り返す必要はないことを理解されたい。
【００６１】
上記で具体化された装具のドアは、好ましくは、治療を行う専門家が、歯科矯正用探針などの一般的な歯科矯正用手用器械を使用してドアを容易に開閉することを可能にする力特性を有する。任意選択で、専用の手用器械を使用してドアの滑り運動を制限することができる。例えば、ドアの前縁部と本体との間の継ぎ目に平坦なプローブを挿入し、捻ってドアを開けることができる。これは偶発的な剥離のリスクを低減するのに役立ち得る。現在の好ましい状況では、ドアを開閉するために必要とされる力は、施術者による容易な操作が可能となるように十分に弱いものであるが、また、咀嚼及び歯磨きなどの、治療の間に実施される通常の患者の活動中に、ドアが自然に解放することがないように、十分に強いものでもある。好ましくは、ドアを開放するために加えられる力の閾値量は、少なくとも約０．４５ニュートン（０．１ｌｂｆ）、少なくとも約０．９ニュートン（０．２ｌｂｆ）、少なくとも約２．２ニュートン（０．５ｌｂｆ）、又は少なくとも約４．４ニュートン（１ｌｂｆ）である。この閾値力は、最大約２５．８ニュートン（５．８ｌｂｆ）、最大約１１．６ニュートン（２．５ｌｂｆ）、又は最大約８．９ニュートン（２ｌｂｆ）とすることができる。
【００６２】
有限要素解析（ＦＥＡ）を使用して唇側引張力を受けたときの装具の強度を検査することができ、唇側引張力とは、ドアを破損するまで唇方向に（例えば、スロットの底壁から反対側に）引っ張るのに要する力として定義される。ＡＮＳＹＳエンジニアリングシミュレーションソフトウェア（バージョン１５、Ｃａｎｏｎｓｂｕｒｇ，ＰＡのＡＮＳＹＳ製）を用いて、装具形状について有限要素解析（ＦＥＡ）を実行することができる。例えば、装具１００は、高応力又は故障が生じるまで最大１５．４ｌｂの唇側引張力に耐えることが示された。この唇側引張力は、０．０２１インチ×０．０２１インチの正方形のステンレス鋼ワイヤセグメントを使用して試験した。
【００６３】
上記装具のキット及びアセンブリもまた本明細書では意図される。例えば、本明細書に記載された１つ以上の装具は、例えば、米国特許第４，９７８，００７号（Ｊａｃｏｂｓら）、同第５，０１５，１８０号（Ｒａｎｄｋｌｅｖ）、同第５，４２９，２２９号（Ｃｈｅｓｔｅｒら）、同第６，１８３，２４９号（Ｂｒｅｎｎａｎら）、及び米国特許公開第２００８／０２８６７１０号（Ｃｉｎａｄｅｒら）に記載されているように、適切な歯科矯正用接着剤で予めコーティングし、１つの容器又は一連の容器に包装することができる。別の選択肢として、米国特許第７，１３７，８１２号（Ｃｌｅａｒｙら）に記載されているように、これらの装具はいずれも、患者への間接的結合を可能にする配置装置と組み合わせて使用することもできる。
【００６４】
更なる選択肢として、上記装具はいずれも、国際公開第２０１３／０５５５２９号（Ｙｉｃｋら）に記載されているように、トルク強度を高めるためにテーパ状の対向側壁を有するアーチワイヤスロットを含むことができる。
【００６５】
実施形態
１．  結合面を有する基部と、
結合面を有する基部と、基部から外向きに延びた本体であって、底壁を有し、かつ近心−遠心方向に延びたアーチワイヤスロットを含む本体と、本体に摺動可能に連結されたドアであって、アーチワイヤスロット内でアーチワイヤを結紮することができる開状態と、アーチワイヤスロット内にアーチワイヤを保持することができる閉状態との間で移動可能であり、ドアは、共面の近心面及び遠心面を含む舌側表面を有し、底壁は、近心面及び遠心面と鋭角を形成し、舌側表面は、底壁に対して実質的に平行な平面接触面を含む前縁部領域を含む、ドアと、を備える歯科矯正装具。
【００６６】
２．  スロットに対して略垂直に方向付けられたチャネルを本体内に更に備え、
ドアは舌側表面から延びた支柱を含み、
支柱はチャネルに摺動可能に受け入れられている、実施形態１の歯科矯正装具。
【００６７】
３．  チャネルは、ドアの摺動方向に対して略垂直に方向付けられたラッチを更に備える、実施形態２による歯科矯正装具。
【００６８】
４．  ラッチは、チャネルを横切って近心−遠心方向に延び、かつチャネルの底部からオフセットされたビームを備える、実施形態３の歯科矯正装具。
【００６９】
５．  ドアが開状態と閉状態との間で移動することを可能にするために、ビームは、チャネルの底部に向かう方向に撓み可能である、実施形態４の歯科矯正装具。
【００７０】
６．  支柱は、脚部の近心側又は遠心側に沿って延びた少なくとも１つのレールを含み、
チャネルは少なくとも１つの凹部を含み、
レールは凹部に摺動可能に係合されている、実施形態３による歯科矯正装具。
【００７１】
７．  ドアの舌側表面は、ドアの咬合側−歯肉側高さの少なくとも一部を通って延びた少なくとも１つの溝を含み、閉状態において、溝の一部が底壁の上方に位置する、前述の実施形態のいずれかの歯科矯正装具。
【００７２】
８．  舌側表面は支柱の両側に２つの溝を含む、実施形態７の歯科矯正装具。
【００７３】
９．  本体は、顔面側表面上に１つ以上のガイドレールを更に備える、前述の実施形態のいずれかの歯科矯正装具。
【００７４】
１０．  各ガイドレールは、ドアの舌側表面の溝内に受け入れられている、実施形態９の歯科矯正装具。
【００７５】
１１．  結合面を有する基部と、
基部から外向きに延びた本体であって、底壁を有し、かつ近心−遠心方向に延びたアーチワイヤスロット、及び本体内で前記スロットに対して略垂直に方向付けられたチャネルを含む本体と、本体に摺動可能に連結されたドアであって、アーチワイヤスロット内でアーチワイヤを結紮することができる開状態と、前記アーチワイヤスロット内にアーチワイヤを保持することができる閉状態との間で移動可能であり、ドアの舌側表面は、閉状態で底壁に対して実質的に平行な接触面を有する前縁部領域、及び舌側表面の近心−遠心中心から延びており、かつチャネルに摺動可能に受け入れられている支柱を含む、ドアと、を備える歯科矯正装具。
【００７６】
１２．  本体は、チャネルの両側に沿って配置された第１のガイドレール及び第２のガイドレールを更に含む、実施形態１１の歯科矯正装具。
【００７７】
１３．  ドアの舌側表面は、ドアの咬合側−歯肉側高さの少なくとも一部を通って延びる第１の溝及び第２の溝を含み、
第１のガイドレールは第１の溝に受け入れられており、第２のガイドレールは第２の溝に受け入れられている、実施形態１２の歯科矯正装具。
【００７８】
１４．  第１の溝及び第２の溝は、支柱の両側に配置されている、実施形態１３の歯科矯正装具。
【００７９】
１５．  本体チャネルは、ドアの摺動方向に対して略垂直に方向付けられたラッチを更に備える、前述の実施形態のいずれかの歯科矯正装具。
【００８０】
１６．  ロックは、アーチワイヤスロットから離れる方向へのドアの移動を妨げる、実施形態１５の歯科矯正装具。
【００８１】
１７．  ラッチは、チャネルを横切って近心−遠心方向に延びたビームを備える、実施形態１６の歯科矯正装具。
【００８２】
１８．  ドアが開状態と閉状態との間で移動することを可能にするために、ビームは、チャネルの底部に向かう方向に撓み可能である、実施形態１７の歯科矯正装具。
【００８３】
１９．  支柱は、支柱の側面に沿って延びた少なくとも１つのレールを含み、
レールは、本体チャネルに連通した凹部に受け入れられている、実施形態１１〜１３による歯科矯正装具。
【００８４】
２０．  前縁部領域は、ドアが閉じているときにアーチワイヤスロットの両側の近心端及び遠心端に位置する同一平面上にある一対の接触面を含む、前述の実施形態のいずれかの歯科矯正装具。
【００８５】
２１．  ドアが閉じているときのアーチワイヤスロットの高さは、スロットの近心−遠心中心に隣接する領域と比較して、近心端及び遠心端では減少している、実施形態２０の歯科矯正装具。
【００８６】
２２．  ドアは、第１のチャネルから近心方向に延びた近心滑り領域と、第２のチャネルから遠心方向に延びた遠心滑り領域とを含み、
近心滑り領域及び遠心滑り領域は、本体に沿って摺動し、略同一平面上にある、実施形態２０の歯科矯正装具。
【００８７】
２３．  滑り領域は、接触面に対して傾斜角度をもって方向付けられている、実施形態２２の歯科矯正装具。
【００８８】
２４．  アーチワイヤを結紮する方法であって、
結合面を有する基部と、
基部から外向きに延びた本体であって、底壁を有し、かつ近心−遠心方向に延びたアーチワイヤスロットを含む本体と、
本体内のチャネルに摺動可能に連結されたドアであって、アーチワイヤスロット内でアーチワイヤを結紮することができる開状態と、アーチワイヤスロット内にアーチワイヤを保持することができる閉状態との間で移動可能であるドアとを備える、装具を提供することと、
アーチワイヤスロットの方向にドアを摺動させることと、を含み、
アーチワイヤスロットの方向にドアを摺動させることは、チャネルを横切って延びたラッチを舌側方向に撓ませる、方法。
【００８９】
２５．  ドアは、突出部を有する支柱と、支柱の両側の一対の溝とを含み、ドアを摺動させることにより、突出部がラッチの撓みを引き起こす、実施形態２４の方法。
【００９０】
上述の特許及び特許出願のすべては、本明細書においてここに明示的に援用されている。上述の発明は、明瞭性及び理解の目的のために、図及び実施例によって、ある程度詳細に説明されている。しかしながら、様々な代替案、修正案、及び等価物を使用することができ、上記の説明は、以下の実施形態及びそれらの等価物によって定義される、本発明の範囲を限定するものとして解釈されるべきではない。
【図１】
2019520153.tif 000003
【図２】
2019520153.tif 000004
【図３】
2019520153.tif 000005
【図４】
2019520153.tif 000006
【図５】
2019520153.tif 000007
【図６Ａ】
2019520153.tif 000008
【図６Ｂ】
2019520153.tif 000009
【図７】
2019520153.tif 000010
【図８】
2019520153.tif 000011
【図９】
2019520153.tif 000012
【図１０】
2019520153.tif 000013
【図１１Ａ】
2019520153.tif 000014
【図１１Ｂ】
2019520153.tif 000015
【図１２Ａ】
2019520153.tif 000016
【図１２Ｂ】
2019520153.tif 000017
【図１３】
2019520153.tif 000018
【図１４】
2019520153.tif 000019
【図１５】
2019520153.tif 000020
【図１６】
2019520153.tif 000021
【図１７】
2019520153.tif 000022
【図１８】
2019520153.tif 000023
【国際調査報告】
2019520153.tif 000024
2019520153.tif 000025
2019520153.tif 000026